Podtech/llm-jp-corpus-v4-ja_patent huggingface dataset:
(57)【特許請求の範囲】
【請求項１】
シャンクと、該シャンクの一端側に、先端に砥粒を有する複数の環状ヘッドとを備えるコアドリルであって、前記環状ヘッドのうち、最も外径の大きい大径ヘッドの外径が、最大加工円の直径の６０％以上７５％以下であり、前記大径ヘッドの内周が前記シャンクの中心を内包していることを特徴とするコアドリル。
【請求項２】
前記環状ヘッドが、前記大径ヘッドと小径ヘッドとの２つからなり、前記大径ヘッドおよび前記小径ヘッドがいずれも前記シャンクの外周に内接し、前記大径ヘッドと前記小径ヘッドとの間隔が、前記シャンクの外径の１．５％以上１０％以下であることを特徴とする請求項１に記載のコアドリル。
【発明の詳細な説明】
【技術分野】
【０００１】
本発明は、ワークの加工に用いるコアドリルに関するものである。
【背景技術】
【０００２】
コアドリルは、シャンクの先端に砥粒を有する単独の環状ヘッドを備えており、回転しながらワークに当接することによって、ワークに貫通孔や座ぐり穴を形成することができるものであり、加工効率を向上させるべく、種々の検討が為されている。
【先行技術文献】
【特許文献】
【０００３】
【特許文献１】実開平２−２７８１３号公報
【特許文献２】特開２００６−２９７５０７号公報
【発明の概要】
【発明が解決しようとする課題】
【０００４】
シャンクの先端に砥粒を有する単独の環状ヘッドを備えるコアドリルを用いて、所望の大きさの座ぐり穴を形成しようとしたとき、環状ヘッドの大きさが小さければ、加工時間が非常に長いものとなり、環状ヘッドが大きければ、所望の大きさの座ぐり穴の中心部が残ってしまう（以下、この部分を残留コアと記載する。）という問題があった。それ故、今般においては、加工時間が短く、残留コアの少ないコアドリルが求められている。
【０００５】
本発明は、上記要求を満たすべく案出されたものであり、加工時間が短く、残留コアの少ないコアドリルを提供することを目的とする。
【課題を解決するための手段】
【０００６】
本発明のコアドリルは、シャンクと、該シャンクの一端側に、先端に砥粒を有する複数の環状ヘッドとを備えるコアドリルであって、前記環状ヘッドのうち、最も外径の大きい大径ヘッドの外径が、最大加工円の直径の６０％以上７５％以下であり、前記大径ヘッドの内周が前記シャンクの中心を内包していることを特徴とするものである。
【発明の効果】
【０００７】
本発明のコアドリルによれば、加工時間が短く、残留コアを少なくすることができるため、加工効率が向上する。
【図面の簡単な説明】
【０００８】
【図１】本実施形態のコアドリルの一例を模式的に示す、（ａ）は断面図であり、（ｂ）は底面図である。
【発明を実施するための形態】
【０００９】
以下、本実施形態のコアドリルについて説明する。
【００１０】
図１は、本実施形態のコアドリルの一例を模式的に示す、（ａ）は断面図であり、（ｂ）は底面図である。
【００１１】
本実施形態のコアドリル１は、シャンク２と、シャンク２の一端側に、先端にダイヤモンドチップ等の砥粒を有する複数の環状ヘッド３とを備えるものであり、図１においては、大径ヘッド３ａと、小径ヘッド３ｂの２つを備えている例を示している。そして、本実
施形態のコアドリル１は、大径ヘッド３ａの外径が、最大加工円の直径の６０％以上７５％以下であり、大径ヘッド３ａの内周がシャンク２の中心Ｃを内包しているものである。
【００１２】
なお、最大加工円の直径とは、環状ヘッド３が回転した際の加工円の直径のことであり、図１においては、シャンク２の直径とも言い換えることができる。また、本実施形態のコアドリル１においては、大径ヘッド３ａの外径が、シャンク２の外径の６０％以上７５％以下であり、大径ヘッド３ａの内周がシャンク２の中心Ｃを内包していれば、小径ヘッド３ｂは、１つに限らず、複数備えるものであっても構わない。さらに、図１においては、大径ヘッド３および小径ヘッド３ｂのいずれもがシャンク２の外周に内接したものを示しているが、最大加工円がシャンク２よりも大きいものであってもよい。
【００１３】
本実施形態のコアドリル１は、複数の環状ヘッドを備えていることにより、加工時間を短くすることができる。また、大径ヘッド３ａの外径が、シャンク２の外径の６０％以上７５％以下であり、大径ヘッド３ａの内周がシャンク２の中心を内包していることにより、残留コアを少なくすることができる。それ故、本実施形態のコアドリル１を用いれば、座ぐり穴を効率よく加工することができる。
【００１４】
これに対し、大径ヘッド３ａの外径が、シャンク２の外径の６０％未満や、大径ヘッド３ａの内周がシャンク２の中心Ｃを内包していない場合には、大径ヘッド３ａの外径が小さかったり、大径ヘッド３ａの先端面に加工時に大きな面圧力が作用して加工抵抗が増加したりすることから、加工時間を短くすることができない。また、大径ヘッド３ａの外径が、シャンク２の外径の７５％を超えると、大径ヘッド３ａの内周と、シャンク２の中心Ｃとの距離が長くなることから、残留コアが残ることとなり、残留コアの除去のための追加工が必要となり、加工時間を短くすることができない。
【００１５】
なお、加工抵抗を抑制して加工時間を短くするとともに、残留コアを少ないものとするには、大径ヘッド３ａの外径は、シャンク２の外径の６０％以上６５％以下であることが好適である。
【００１６】
また、本実施形態のコアドリル１は、環状ヘッド３が、大径ヘッド３ａと小径ヘッド３ｂとの２つからなり、大径ヘッド３ａおよび小径ヘッド３ｂがいずれもシャンク２の外周に内接し、大径ヘッド３ａと小径ヘッド３ｂとの間隔が、シャンク２の外径の１．５％以上１０％以下であることが好適である。
【００１７】
環状ヘッド３が、大径ヘッド３ａと小径ヘッド３ｂとの２つからなることで、３つ以上であるときよりも、加工時において大径ヘッド３ａおよび小径ヘッド３ｂの先端面に掛かる加工抵抗を少なくすることができる。また、大径ヘッド３ａと小径ヘッド３ｂとの間隔が、シャンク２の外径の１．５％以上１０％以下であることにより、小径ヘッド３ｂによる研削量を多くしつつ、上記間隔により加工屑の堆積領域を有していることから、座ぐり穴をさらに効率よく加工することができる。
【００１８】
また、コアドリル１においては、図１に示すように、シャンク２内を通って加工部分に液体（例えば、水）を供給可能な供給口４を有していることが好適である。座ぐり穴の加工時において、供給口４から液体を供給すれば、加工熱の冷却効果のみならず、加工屑を除去しやすくなるとともに、大径ヘッド３ａおよび小径ヘッド３ｂへの加工屑の付着が少なくなることから、座ぐり穴をさらに効率よく加工することができる。
【００１９】
そして、本実施形態のコアドリル１のシャンク２の材質としては、炭素鋼（Ｓ１５Ｃ，Ｓ４５Ｃ、Ｓ５０Ｃ，Ｓ５５Ｃ，Ｓ６０Ｃ）、炭素工具鋼（ＳＫ２，ＳＫ４，ＳＫ５，ＳＫ６，ＳＫ７）および合金工具鋼（ＳＫＳ２，ＳＫＳ７，ＳＫＳ５１）を用いることがで
きる。また、環状ヘッド３については、シャンク２と同材質のリング形状の金属部材表面にダイヤモンドチップ等の砥粒を電着によって接着し、溶接やボルト絞めなどの方法によりシャンク２の端面に取り付ければよい。
【符号の説明】
【００２０】
１：コアドリル
２：シャンク
３：環状ヘッド
３ａ：大径ヘッド
３ｂ：小径ヘッド
４：供給口
【図１】
0006408407.tif 000002
(57)【特許請求の範囲】
【請求項１】
封止フィラメント及び円錐部を有する尿マットであって、液体の蓄積によって生じる腐食に耐性のあるプラスチックで形成され、
該尿マットは、尿が落下するときに尿を捕らえる封止フィラメントを有し、該封止フィラメントは該マットの基部に配置される該円錐部から複数立設される構成であって、該封止フィラメントから尿が流れ落ち、該円錐部の傾斜に沿って該マットの基部に配置された開口部に尿が案内され、該開口部から封止フィラメント裏面側に尿が流出するように構成した、尿の蓄積又は細菌培養を防止する尿マット。
【発明の詳細な説明】
【技術分野】
【０００１】
本発明は、液体の跳ねを防止することで病気の蔓延を根絶する、小さいストランドからなる封止フィラメントの跳ね防止尿マットに言及するものである。
【背景技術】
【０００２】
市場には、ブラシ状のフィラメントから作られた尿マットがあり、その機能は、横に跳ねる可能性がある尿を止めることであるが、尿マットはすぐに摩滅し、それらのフィラメントが折れ曲がることでそれらの性能が低下し、一方で、尿を蓄積させて作製された目的を果たさなくなる。
【０００３】
市場で現在入手可能なマットの場合、摩滅するため、又は、液体及び細菌の蓄積に起因して悪臭を放つようになるため、何度も交換しなければならないという不都合点を有し、したがって、全てのそれらの問題を回避するために、化粧室の悪臭及び細菌の拡散を防止する、より長持ちするマットを作ることになった。本発明者らが開発したマットは、細菌の大部分が蓄積するのが正確には非封止ストランドの基部であるため、封止フィラメントを有しない他の現在のマットほど頻繁には交換する必要がない。本発明のマットは、細菌の蓄積又は停滞を防止する封止フィラメントシステムを有し、液体中の堆積する細菌を回避し、マットが液体の蓄積に耐えるように樹脂から作られるため樹脂の腐食を回避するように、マットの基部に異なる高さの円錐部を有して作られる。
【発明の概要】
【発明が解決しようとする課題】
【０００４】
本マットは、マットの基部における液体の蓄積を防止するように異なる高さの円錐部も有する。本マットは、液体を排水路に導いてマットに廃液及び悪臭がない状態にしておく異なる高さの円錐部を有するため、尿が跳ねて男性用小便器の壁及び／又は男性用小便器内の廃液に接触する場合に、男性用小便器外に蓄積する尿からの悪臭を防止し、落下する液体を捕らえ、他の製品で生じるようにマットの基部に液体が蓄積しないようにするために製造された。同様に、本発明は、男性用小便器の廃液が跳ね返った時点での二次汚染を介したユーザへの可能性のある病気の蔓延を防止することによって、より衛生的な環境を提供する。
【課題を解決するための手段】
【０００５】
本マットは、男性用小便器及びその周囲における液体の跳ねを防止すること、並びに、その異なる高さの円錐部を通して尿を迅速かつ効果的に排水させることによるマットの耐久性を考えて作られた。本マットは、排液を容易にするその異なる高さに起因して、液体の蓄積によって生じる腐食に抵抗する強いプラスチック材料から製造される。
【０００６】
補足的な記載として、また、本発明のより良い理解を提供する意図で、本明細書に添付されるとともに本明細書の不可欠な部分を形成するのは、以下を例示的かつ非限定的に示す図面である。
【図面の簡単な説明】
【０００７】
【図１】液体の跳ねを防止する封止フィラメント、及び、液体をマットの穴に案内するその異なる円錐高さに起因して流体が排水路まで流れるときに通る基部の穴を有する跳ね防止マットの正面上面図である。マットは芳香及び抗菌性物質も放出する。
【図２】尿が排水路まで流れるときに通る穴、及び、マットが液体の蓄積を避けるように持ち上げられるよう位置付けられるとともに分散する微小な脚柱／脚部が見える、マットの基部の正面図である。
【図３】液体の滴りを妨げる封止フィラメントが見える、マットの側面図を示し、マットの基部、及び、液体の蓄積を防ぐようにマットを持ち上げる脚柱／脚部も示している。
【図４】液体の流れをマットの基部の穴に案内することで液体の蓄積及び悪臭を防止する異なる高さの円錐部を示す側断面斜視図である。
【図５】マットの基部に位置付けられる穴に液体を導く異なる高さの円錐部の側断面の拡大図である。
【発明を実施するための形態】
【０００８】
本マットの特徴的な詳細は、以下の説明及び添付の図面にはっきりと示されている。その詳細には、部分及び示されている図を示すように同じ参照符号に従う説明も添えられている。
【０００９】
まず、尿の滴りを断ち切ることによって尿の跳ねを防止するとともに、マットの基部に位置付けられる穴（３）に液体を案内する異なる高さの円錐部（５）も有するため尿の蓄積により生じる悪臭を防止するように、封止フィラメント（１）で尿跳ね防止マットを構成する方法が図面において分かる。
【００１０】
穴（３）は、男性用小便器の排水管に直接つながるように分散している。穴（３）は、跳ね防止マットの基部にわたって分散され、封止フィラメント、及び、マットの基部（２）における液体のあり得る蓄積を防止するように穴（３）のそれぞれ１つにおいて異なる高さの円錐部（５）を有する。
【００１１】
封止フィラメント（１）の跳ね防止マットの基部（２）は、液体を穴（３）に導くように基部（２）に沿って分散される異なる高さの円錐部（５）を有し、穴（３）を通して、尿は、落下するときに、フィラメントが尿を捕らえるという自身の役目を果たすと、排水管まで流れ、男性用小便器外への跳ねを防止する。
【００１２】
マットの基部（２）の下には、幾つかの脚柱／短い脚部（４）があり、その機能は液体をマットの下に流すことである。
【００１３】
本発明を説明したが、本発明には新規性があるものと考え、以下の項に含まれるものの所有権を主張する。
【図１】
0006419841.tif 000002
【図２】
0006419841.tif 000003
【図３】
0006419841.tif 000004
【図４】
0006419841.tif 000005
【図５】
0006419841.tif 000006
(57)【特許請求の範囲】
【請求項１】
作業方向（６）に関してタンピング機械（１４）上流側に配置された清掃機械（１）によるバラスト清掃と一緒に軌道位置を修正する方法において、
ａ）前記清掃機械（１）が、清掃された前記バラストを軌道（２）に戻した後で、前記軌道（２）の実際値位置を、前記清掃機械（１）の測定台車（８）による実際値位置データの検出を介して測定するステップと、
ｂ）ステップａ）と並行して、前記清掃機械（１）の直ぐ後に位置する照準台車（１１）により、固定点（１２）に対する軌道位置の検出を介して固定点修正値を求めるステップと、
ｃ）前記清掃機械（１）からの前記実際値位置データ、および、前記照準台車（１１）からの前記固定点修正値を、後続のタンピング機械（１４）に伝送し、前記実際値位置データと前記固定点修正値とを、締固めによって達成すべき軌道目標位置に対する修正値の算出のために利用するステップとを含んでいることを特徴とする方法。
【請求項２】
前記タンピング機械（１４）による前記軌道の第１の締固めの直後に、実際値位置データと固定点修正値とを再び検出し、後続する第２のタンピング機械による、軌道目標位置に対する新たな修正値の算出のために利用する、請求項１記載の方法。
【発明の詳細な説明】
【技術分野】
【０００１】
本発明は、作業方向に関してタンピング機械上流側に配置される清掃機械によるバラスト清掃と一緒に軌道位置を修正する方法に関している。
【０００２】
背景技術
軌道のバラスト清掃と、その直ぐ後に続くタンピング機械による軌道位置修正との組み合わせは、ＧＢ２１８６３０９明細書から公知である。
【０００３】
専門誌「Rail Infrastructure（鉄道インフラストラクチャ）」第３１号（２００３年版）４７〜４９頁の「Track machine guidance（トラックマシンガイダンス）」という記事では、軌道位置の測定方法が詳細に説明されている。軌道測定中は静止しているレーザー送信器を装備した測定車両は、作業方向において、次の測地固定点まで移動する。この測地固定点は、通常は架線支柱に存在している。レーザー送信器は、軌道横方向に隣接する固定点に対して調整され、それによって正確な目標位置がもたらされる。引き続きこのレーザー送信器は、そこに固定された鏡胴部を介して、後方の移動式測定車両に設けられた受信器に向けて調整される。
【０００４】
本発明の課題は、冒頭に述べたような形式の方法において、より改善された軌道位置修正が可能となるように改善を行うことである。
【０００５】
前記課題は、冒頭に述べたような形式の方法において、独立請求項の特徴部分に記載された本発明によって解決される。
【０００６】
この方法を用いれば、軌道位置の測定だけに限られる測定走行は回避しつつ軌道工事現場全体の長さを短縮することが可能になる。
【０００７】
本発明のさらなる利点は、従属請求項及び図面に基づく説明からも明らかとなる。
【０００８】
以下では本発明を、図面に示された実施形態に基づいて詳細に説明する。
【図面の簡単な説明】
【０００９】
【図１】軌道のバラストを洗浄する洗浄機、並びに後続する軌道位置修正のためのタンピング機械の側面図
【図２】軌道縦方向での照準台車の拡大図
【００１０】
発明を実施するための形態
図１に示されている軌道建設現場には、軌道２のバラストを清掃する清掃機械１が位置している。この清掃機械１は実質的に、バラスト収容のための清掃チェーン３とふるい装置４とからなっている。清掃されたバラストは、放出箇所５を介して軌道２上に放出される。作業方向６に関して、清掃機械１の後方端部７には、測定台車８が設けられている。この測定台車８は、測定軸９と測定弦で形成される軌道測定システム１０を有している。
【００１１】
清掃機械１の直ぐ後に位置する、図２に拡大されて示されている照準台車１１は、架線支柱１３に固定された固定点１２までの距離を測定するために設けられている。
【００１２】
この照準台車１１の後方には、タンピング機械１４が測定台車１５と共に位置している。この測定台車１５も、機械後方端部１６に連結され、軌道２上を走行可能な測定軸９と測定弦とを備えている。
【００１３】
図２から見て取れる照準台車１１は、駆動部１７と車輪１８とによって軌道２上を自走可能であり、既にＥＰ０５１１１９１明細書から公知である。レーザー送信器１９とレーザビーム２０とを用いることで、計算機２２において、固定点１２に対する軌道２の位置を算出することが可能である。照準台車１１は、軌道２の隣に位置する操作者により遠隔制御機器２１を用いて制御可能である。
【００１４】
以下では本発明による方法を詳細に説明する。最初の車両、すなわち清掃機械１によって連続的にバラストが清掃される間、後続するタンピング機械１４によって、軌道位置の連続的な修正も行われる。
【００１５】
清掃されたバラストが軌道２に戻された後では、軌道の実際の位置が、測定台車８による実際値位置データの検出のもとで測定される。それと並行して、清掃機械１の直ぐ後の照準台車１１により、固定点１２に対する実際の軌道位置若しくは実際値位置データの検出を介して固定点修正値が求められる。実際値位置データ及び固定点修正値は、無線で後続のタンピング機械１４に伝送され、締固めによって達成すべき軌道目標位置に対する修正値を求めるソフトウェアプログラムと組み合わせて使用される。
【００１６】
本発明のさらに別の変化実施例によれば、図１に示されているタンピング機械１４の直ぐ後ろに、さらなるタンピング機械が連結されていてもよい。このケースの場合には、上流側に位置する第１のタンピング機械１４の測定台車１５によって測定される、軌道２のさらなる実際値位置データが、所要の軌道修正値の計算のために、無線で後続のタンピング機械に伝送される。
【図１】
0006338671.tif 000002
【図２】
0006338671.tif 000003
(57)【特許請求の範囲】
【請求項１】
靴下の足先に、足指の第一趾、第二趾、第三趾が、それぞれ独立して入るように仕切られた袋部、すなわち第一趾袋部、第二趾袋部、第三趾袋部を設け、それに続く第四趾、及び第五趾が一緒に入る一つの袋部、すなわち第四、第五趾同居袋部を設け、合計４つの足指袋部を形成し、足の第一趾の付け根に、第一押さえ面、第五趾の付け根に第二押さえ面、足首から少し先方に下った足の甲の側面、即ちリスフラン関節の左右端に当たる箇所に、それぞれ第三、及び第四押さえ面、足首区切線即ち距腿関節の少し先、リスフラン関節より手前に当たる箇所に第五押さえ面、足裏の踵より先であり、足裏の踵から指先における方向において、第四押さえ面が形設される位置を超えない箇所に第六押さえ面を設けるが、各押さえ面は、−２ｃｍ四方で、周りの靴下生地の伸縮に逆らって、不動固定を保持するような素材を貼るか、あるいは伸縮に引きずられない編み込み方法−の手段で形設するのであり、全体としてこの様に構成された靴下を左右一対で利用することを特徴とする重心改善靴下。
【発明の詳細な説明】
【技術分野】
【０００１】  本発明は、人の足に掛かる重心を改善する靴下に関するものである。
【背景技術】
【０００２】  従来、人の足に掛かる重心は、老化、ケガ、病気、靴等の影響により変化し、非正常化していた。
なお、第一趾を内方へ第五趾を外方へ拡げ、足の中間部の内側と外側を押圧するテーピングや靴下が知られている（特許文献１参照）。
【先行技術文献】
【特許文献】
【０００３】
【特許文献１】  特開２００３−２９９６８５号公報
【発明の概要】
【発明が解決しようとする課題】
【０００４】  そのために次のような問題があった。
人の足に掛かる重心が変化することにより、筋肉、関節がよじれて外反母趾や内反小趾、あるいは、足裏のアーチが偏平足状に低下したり等の変形を被り、身体全体の姿勢が悪化する結果となってきた。
本発明は以上の問題点を解決するためになされたものである。
【課題を解決するための手段】
【０００５】  靴下の足先に、足指の第一趾、第二趾、第三趾が、それぞれ独立して入るように仕切られた袋部、すなわち第一趾袋部、第二趾袋部、第三趾袋部を設け、それに続く第四趾、及び第五趾が一緒に入る一つの袋部、すなわち第四、第五趾同居袋部を設け、合計４つの足指袋部を形設する。
足の第一趾の付け根に、第一押さえ面、第五趾の付け根に第二押さえ面、足首から少し先方に下った足の甲の側面、すなわちリスフラン関節の左右端に当たる箇所に、それぞれ第三、及び第四押さえ面、足首区切線、すなわち距腿関節の少し先、リスフラン関節より手前に当たる箇所に第五押さえ面、足裏の踵より少し先に当たる箇所に第六押さえ面を設けるが、各押さえ面は、およそ２ｃｍ四方で、周りの靴下生地の伸縮に逆らって、不動固定を保持するような素材を貼るか、あるいは伸縮に引きずられない編み込み方法等の手段で形設する。
全体として、この様に構成された靴下を左右一対で利用する。
以上を特徴とする重心改善靴下である。
【発明の効果】
【０００６】  第一趾、第二趾、第三趾を独立させ自由に動けるようにし、第四趾、第五趾を一緒にすることで動きを制限する。
歩行の際に自然と動きの自由な第一趾、第二趾、第三趾を使い歩く癖がつくようになる。
それぞれの押さえ面が靴下生地の伸縮性に引きずられないことによって、足肌に接触している面を圧するようになり、足裏のアーチが次第に正常化していくようになる。
このようにして、重心が正常な方向へ導かれ、人の足に掛かる重心の位置を改善することで、足の変形と身体全体の姿勢を矯正し、健康体を回復することができる。
【図面の簡単な説明】
【０００７】
【図１】  本発明を正面から見た斜視図である。
【図２】  本発明の底面図である。
【図３】  本発明（この場合、左足用）を右側面から見た斜視図である。
【図４】  図３に示された本発明を反対側（左側面）から見た斜視図である。
【発明を実施するための形態】
【０００８】  以下、本発明の実施の形態について説明する。
（イ）重心改善靴下（１１）の足先に、足指の第一趾、第二趾、第三趾が、それぞれ独立    して入るように仕切られた袋部、すなわち第一趾袋部（１）、第二趾袋部（２）、第    三趾袋部（３）を設け、それに続く第四趾、及び第五趾が一緒に入るように袋部、す    なわち第四、第五趾同居袋部（４）を設け、合計４つの足指袋部（１２）を形設する    。
（ロ）足の第一趾の付け根に、第一押さえ面（５）、第五趾の付け根に第二押さえ面（６    ）、足首から少し先方に下った足の甲の側面、すなわちリスフラン関節の左右端に当    たる箇所の、それぞれに第三押さえ面（７）、及び第四押さえ面（８）足首区切線、    すなわち距腿関節の少し先、リスフラン関節より手前に当たる箇所に第五押さえ面（    ９）、足裏の踵より少し先に当たる箇所に第六押さえ面（１０）を設けるが、各押さ    え面は、およそ２ｃｍ四方で、周りの靴下生地の伸縮に逆らって、不動固定を保持す    るような素材を貼るか、あるいは伸縮に引きずられない編み込み方法等の手段で形設    する。
本発明は以上のような構造である。
本発明を使用するときは、重心改善靴下（１１）に足を入れ、第一趾を第一趾袋部（１）に入れ、第二趾を第二趾袋部（２）に入れ、第三趾を第三趾袋部（３）に入れ、第四趾、及び第五趾を第四、第五趾同居袋部（４）に趾の股までしっかりと入れたうえで、残りの部分は通常靴下を履くように引き上げて履く。
第一押さえ面（５）を第一趾の付け根に、第二押さえ面（６）を第五趾の付け根に、第三押さえ面（７）と第四押さえ面（８）を、それぞれ足首から少し先方に下った足の甲の側面、すなわちリスフラン関節の左右端に当たる箇所に、第五押さえ面（９）を足首区切線、すなわち距腿関節の少し先、リスフラン関節より手前に当たる箇所に、第六押さえ面（１０）を足裏の踵より少し先に当たる箇所に、それぞれ設けてあり、それぞれの押さえ面が靴下生地の伸縮性に引きずられずに伸縮しないスポットとして保持されるために、そこの足肌の接触面が押しつけられる形になり、その継続的な刺激によって足裏のアーチが次第に正常化していくようになる。
そのような経過が繰り返されていく中で、その人の足にかかる重心の位置が改善されていき、足のＯ脚変形や身体全体の姿勢が矯正され、健康体が回復される。
【符号の説明】
【０００９】    １    第一趾袋部
２    第二趾袋部
３    第三趾袋部
４    第四、第五趾同居袋部
５    第一押さえ面
６    第二押さえ面
７    第三押さえ面
８    第四押さえ面
９    第五押さえ面
１０  第六押さえ面
１１  重心改善靴下
１２  足指袋部
【図１】
0006311169.tif 000002
【図２】
0006311169.tif 000003
【図３】
0006311169.tif 000004
【図４】
0006311169.tif 000005
(57)【特許請求の範囲】
【請求項１】
ボウリング投球手袋の手の平側の、指の根元上に四辺形状固定ベルトの、１辺を設けて、左右の小指上と人差し指上を通り、人差し指先と小指先間のボール受け部分を通り、指の根元上の四辺形状固定ベルトの１辺に、リンクさせたことを特徴とするボウリング投球手袋。
【発明の詳細な説明】
【技術分野】
【０００１】  この発明はボウリング投球手袋に関するものである。
【背景技術】
【０００２】  投球手袋はボウリングボールを握て、ピンを倒すのに利用される。
【発明の開示】
【発明が解決しようとする課題】
【０００３】  そのために、次のような問題点があった。
（イ）ボウリングボールを片手で支え、方向性を安定させなければならない。
（ロ）ボールを親指中心に回転させる必要が要求される。
（ハ）手を後方に振り上げ振りおろし、目標のピン目がけて正確な投球を要求される。
【課題を解決するための手段】
【０００４】  ボウリング投球手袋の手の平側の、指の根元上に四辺形状固定ベルト（４）の１辺を設けて、左右の小指と人差し指上を通り、人差し指先と小指先間のボール受け部分（２）を通り、指の根元上の四辺形状固定ベルト（４）の１辺に、リンクさせた。
【発明の効果】
【０００５】  ボールを握る親指穴部分と、中指穴（９）と薬指穴（１０）との間を、四辺形状固定ベルト（４）の１辺が通ることで、ボウリングボール中心全体を支えることができる。
人差し指先と小指先の間のボール受け部分（２）で、ボールを、ホウルドするので、ボールの回転性、方向性を発生させることが、ボールの穴から指先を抜き去るまで維持させることができる。
【発明を実施するための最良の形態】
【０００６】  以下、本発明の実施の形態について説明する。
ボウリング投球手袋（１）を親指と中指（１１）と薬指（１２）で四辺形状固定ベルト（４）の手の平の根元上の１辺を圧着固定させる。
固定ベルト（４）の指の根元上を、手袋内の手の平の素手部分で圧着固定させる。
ボウリング投球手袋（１）の親指抜き部分（７）に親指を、中指抜き部分（５）に中指（１１）を、薬指抜き部分（６）に薬指（１２）を、指穴に指を入れて投球する。
中指と薬指の抜き差しの邪魔にならないよう長円形状（３）を設けた。
【図面の簡単な説明】
【０００７】
【図１】  本発明の正面図
【図２】  本発明の裏面図
【図３】  本発明の実施例を示す平面図
【符号の説明】
【０００８】  １  ボウリング投球手袋
２  ボール受部分
３  長円形状
４  四辺形状固定ベルト
５  中指抜き部分
６  薬指抜き部分
７  親指抜き部分
８  ボウリングボール
９  中指穴
１０  薬指穴
１１  中指
１２  薬指
【図１】
0006281684.tif 000002
【図２】
0006281684.tif 000003
【図３】
0006281684.tif 000004